(57)【特許請求の範囲】
【請求項１】
天板下にカセッテ又はフラットパネルディテクタを装填するための空間が設けられ、この空間に前記カセッテ又はフラットパネルディテクタが出し入れ可能に配置され、この空間のさらに下部にＸ線管に対向してイメージインテンシファイアまたはフラットパネルディテクタが配設されたＸ線撮影装置において、
前記天板下のカセッテ又はフラットパネルディテクタが退避した状態で、その下部に配設されたイメージインテンシファイアまたはフラットパネルディテクタを前記天板に近接可能に移動される移動手段を備えたことを特徴とするＸ線撮影装置。
【発明の詳細な説明】
【技術分野】
【０００１】
この発明は、被検者にＸ線を照射し、透過Ｘ線をイメージインテンシファイアあるいはフラットパネルディテクタにて撮影し、消化管や非血管系脈管、または骨格等の画像を得るディジタルラジオグラフィー（ＤＲ）装置に関する。
【背景技術】
【０００２】
従来のこの種のＤＲ装置は、放射線源としてＸ線管と、検出器としてイメージインテンシファイア（以下ＩＩと略称する）あるいはフラットパネルディテクタ（以下ＦＰＤと略称する）とを含んでおり、Ｘ線管から放射されたＸ線は、通常は天板上に置かれた被検者を透過し、天板下部に置かれたＩＩまたはＦＰＤによって透視像が検出される。得られた透視像はＡ／Ｄ変換器能を備えたＴＶカメラ等によってディジタル信号化された後、種々の信号処理を施した画像を表示あるいは記録するものである。（例えば、特許文献１参照）
【０００３】
このように、透視撮影像はＤＲシステムに付属したモニター装置によって観測することができるが、検査内容あるいは目的よっては、ＩＩまたはＦＰＤとテレビの組み合わせによる撮影だけではなく、より簡便なＸ線検出手段として半切あるいは大角のＸ線フィルム、あるいはＩＰカセッテに撮影する必要が生ずる。このような要求を満足させるために、カセッテ１枚撮り機能とＤＲ機能を併せ持ったＸ線透視撮影装置が広く使用されている。（例えば、特許文献２参照）
【０００４】
上述したカセッテ１枚撮り機能とＤＲ機能を併せ持つＸ線透視撮影装置におけるカセッテの位置は天板と検出器ＩＩまたはＦＰＤの中間に設けられる。
天板の下部にカセットを装填するための空間が設けられ、この空間にカセッテ保持機構が備えられており、このカセッテ保持機構の下部にＩＩまたはＦＰＤが装着されている。通常の透視観察およびＤＲ撮影の際にはカセッテ保持機構にカセッテを装填せずに、ＩＩまたはＦＰＤを介して得られた透視または撮影像を観察する。Ｘ線フィルムによる撮影が必要な場合には、カセッテ保持機構にカセッテを装填して撮影を行う。
【特許文献１】特開２０００−２９５５２９号広報
【特許文献２】特開２００５−２３７５２４号広報
【発明の開示】
【発明が解決しようとする課題】
【０００５】
しかしながら、上記のカセッテ１枚撮り機能とＤＲ機能を併せ持つＸ線透視撮影装置には、以下に述べる問題点がある。
【０００６】
上述のように、カセッテ１枚撮り機能とＤＲ機能を併せ持つＸ線透視撮影装置においては、天板の下部にカセッテを装填するために必要な空間が設けられ、この空間の更に下部にＩＩまたはＦＰＤが設置される。このため天板とＩＩまたはＦＰＤの間の距離、つまり被検者とＩＩまたはＦＰＤの距離が大きくなり、その結果、ＩＩまたはＦＰＤ上での透視像は実際の被検者より大きく拡大されたものとなり、撮影部位によっては、目的とする撮影範囲がＩＩまたはＦＰＤの有効視野を溢脱する問題点がある。
【課題を解決するための手段】
【０００７】
天板下にカセッテ又はフラットパネルディテクタを装填するための空間が設けられ、この空間に前記カセッテ又はフラットパネルディテクタが出し入れ可能に配置され、この空間のさらに下部にＸ線管に対向してイメージインテンシファイアまたはフラットパネルディテクタが配設されたＸ線撮影装置において、
天板下のカセッテ又はフラットパネルディテクタが退避した状態で、その下部に配設されたイメージインテンシファイアまたはフラットパネルディテクタを前記天板に近接可能に移動される移動手段を備えたことを特徴とする。
【発明の効果】
【０００８】
カセッテ１枚撮り機能とＤＲ機能を併せ持つＸ線透視撮影装置において、カセッテによる撮影を行わず、ＩＩまたはＦＰＤによる透視または撮影を行う場合でも、ＩＩまたはＦＰＤの受光面上におけるＸ線の拡大率を低く抑え、目的とする被検者の観測範囲を視野内に効率よく収めることができる。
【発明を実施するための最良の形態】
【０００９】
本発明の特徴はＩＩまたはＦＰＤの受光面上でのＸ線の拡大率を抑えることにあり、このため本発明にかかるＸ線透視撮影装置は、カセッテを装填しない時にＩＩまたはＦＰＤの位置を天板に近接させる移動機構を備える。以下に検出器としてＩＩを用いた場合の本発明の一実施例を、図１、図２、図３を用いて説明する。
【実施例１】
【００１０】
図２は本発明にかかるＸ線透視撮影装置の概念図である。主要な部分は、被検者５を載戴する天板１と、Ｘ線を発して被検者５に照射するＸ線管４と、被検者５を透過したＸ線を受けて透視像または撮影像を検出するＩＩ３と、カセッテを保持するカセッテトレイ２によって構成される。
【００１１】
図１は、カセッテトレイ２とＩＩ３およびそれらの周辺の保持・移動機構を概念的に表したものである。図１の（ａ）は、Ｘ線フィルムによる撮影のため、カセッテを内部に搭載したカセッテトレイ２が装填されている状態を示している。一方、図１の（ｂ）は、フィルムによる撮影を行わず、ＩＩ３による撮影をＤＲ機能を用いて行う場合の装置の状態を示している。図３は、ＩＩ３の移動機構の一例を示す図である。
【００１２】
図１（ａ）に示すように、天板１の下部に、本図には省略されている保持機構によって装置基部に固定されたレール６が設けられており、レール６内には保持枠７が上下に摺動可能に取り付けられており、この保持枠７によってＩＩ３が挟持されている。保持枠７の下部には、図３に示すようにラック９が取り付けられている。ラック９と噛み合うピニオン１０の軸はレール６に固定された回転駆動部８内に収納されたモータに直接、あるいは歯車を介して連結されている。回転駆動部８内のモータを回転することによって保持枠７をＩＩ３とともに上下に移動させることができる。
【００１３】
Ｘ線フィルムによる撮影を行う場合には、図１（ａ）と図３に示すように、回転駆動部８を駆動して保持枠７をレール６の最下端にまで移動させ、レール６上部と保持枠７の上面とによって作られる空間にカセッテトレイ２を挿入して装填する。このとき、レール６の上部内面と、保持枠７の上面がカセッテトレイ２のガイドの役目を果たす。この状態でＸ線管４によって所定時間Ｘ線を照射することにより、Ｘ線フィルムによる撮影を行う。
一方、Ｘ線フィルムによる撮影を行わず、ＩＩ３によるＤＲ観察を行う場合には、カセッテトレイ２をレール６から抜き出した後、回転駆動部８を駆動して保持枠７をレール６の上端まで移動させて、ＩＩ３を天板１に近接させる。
【００１４】
上述したように、比較的単純で低コストで実現可能な機構によって、カセッテ１枚撮りが可能であり、しかも、ＩＩ３を用いたＤＲ操作時におけるＸ線の拡大率を最小限に抑制できるカセッテ１枚撮り機能とＤＲ機能を併せ持つＸ線透視撮影装置が実現可能となる。
【００１５】
上記の実施例においてはＩＩ３が検出器として使用されているが、ＩＩ３の代わりにＦＰＤを検出器とするシステムも他の実施例として本発明に含まれる。更により広く、カセッテトレイ２の代わりにＦＰＤをＩＩ３の上部の空間に出し入れ可能に配置し、ＦＰＤを取り外して時にはＩＩ３を上部に移動させて使用するシステムも実施例の中に含まれる。
【００１６】
上述の実施例では、ＩＩ３と保持枠７の停止位置は上下両端の２点のみであったが、他の一実施例として、上下両端以外に、その中間の複数の点においてＩＩ３の位置を停止させる機構を設け、その停止位置を選択して、位置に応じて透視像の拡大率を選択・調節できる装置を実現することも可能である。
【産業上の利用可能性】
【００１７】
本発明は、Ｘ線透視装置のカセッテ１枚撮り機能を備えたＤＲ装置に関する。
【図面の簡単な説明】
【００１８】
【図１】本発明にかかるＸ線透視装置のカセッテトレイおよびＩＩの構造概念図である。
【図２】本発明にかかるＸ線透視装置の構成模式図である。
【図３】ＩＩの移動機構を示す図である。
【符号の説明】
【００１９】
１  天板
２  カセッテトレイ
３  ＩＩ
４  Ｘ線管
５  被検者
６  レール
７  保持枠
８  回転駆動部
９  ラック
１０  ピニオン
【図１】
0004813914.tif 000002
【図２】
0004813914.tif 000003
【図３】
0004813914.tif 000004